(57)【特許請求の範囲】
【請求項１】
流体を遠心力によって加圧して吐出させるインペラと、該インペラを収容するポンプケーシングとを備え、上記インペラが、流体の吸込口を中央に有するシュラウドと、上記シュラウドに相対するように設けられるハブ板と、上記ハブ板と上記シュラウドとの間に設けられ、上記吸込口から吸い込まれた流体に遠心力を与えて上記インペラの半径方向に流体を吐出させる複数の主羽根とを備え、上記ポンプケーシングと上記シュラウドとの間に隙間が設けられているウォーターポンプであって、
上記複数の主羽根は、それぞれ上記インペラの中心部から半径方向に対して斜めに遠ざかるように湾曲して延び、
上記シュラウドの外面に、上記インペラの回転によって上記隙間に存する流体に遠心力を与える複数の補助羽根が突出して設けられ、
上記複数の補助羽根は、上記インペラの回転軸方向から見て、それぞれ上記主羽根と重なるように上記インペラの中心部から半径方向に対して斜めに遠ざかるように湾曲して延びており、且つ、上記主羽根よりも厚肉に形成されており、
上記インペラの外周端側における上記補助羽根の肉厚は、隣接する上記補助羽根間の外周端側の間隔に対して、該間隔を超えない肉厚で形成されていることを特徴とするウォーターポンプ。
【請求項２】
流体を遠心力によって加圧して吐出させるインペラと、該インペラを収容するポンプケーシングとを備え、上記インペラが、流体の吸込口を中央に有するシュラウドと、上記シュラウドに相対するように設けられるハブ板と、上記ハブ板と上記シュラウドとの間に設けられ、上記吸込口から吸い込まれた流体に遠心力を与えて上記インペラの半径方向に流体を吐出させる複数の主羽根とを備え、上記ポンプケーシングと上記シュラウドとの間に隙間が設けられているウォーターポンプであって、
上記複数の主羽根は、それぞれ上記インペラの中心部から半径方向に対して斜めに遠ざかるように湾曲して延び、
上記シュラウドの外面に、上記インペラの回転によって上記隙間に存する流体に遠心力を与える複数の補助羽根が突出して設けられ、
上記複数の補助羽根は、上記インペラの回転軸方向から見て、それぞれ上記主羽根と重なるように上記インペラの中心部から半径方向に対して斜めに遠ざかるように湾曲して延びており、且つ、上記主羽根よりも厚肉に形成されており、
上記補助羽根はさらに、上記シュラウドに対して、上記インペラの回転方向前側の面は垂直に立ち上がり、回転方向後側の面は滑らかに傾斜するように形成されていることを特徴とするウォーターポンプ。
【請求項３】
請求項１又は２において、
上記主羽根は、上記インペラの回転軸方向から見て、該インペラの中心部から半径方向に対して回転方向後側に向けて湾曲して延びる湾曲部と、該湾曲部先端から上記インペラの外周端に向けて該湾曲部の延長線よりも半径方向に対して回転方向前側に延びる延出部とを備え、
上記補助羽根は、上記回転軸方向から見て、上記主羽根の上記湾曲部及び上記延出部と重なるように形成されていることを特徴とするウォーターポンプ。
【発明の詳細な説明】
【技術分野】
【０００１】
本発明は、インペラを備えたウォーターポンプに関するものである。
【背景技術】
【０００２】
従来より、流体を吸込口から吸込んで、吸込んだ流体を遠心力により加圧して吐出するインペラを備える遠心式のウォーターポンプは知られている（例えば、特許文献１参照）
特許文献１に示されたウォーターポンプでは、ポンプハウジング（ポンプケーシング）が設けられ、該ポンプハウジング内に、流体の流入通路と流出通路、及びそれらの中間にインペラが収容されるインペラチャンバ（インペラ室）が形成されている。
【０００３】
インペラは、モータにより回転駆動されるインペラ本体（ハブ板及び主羽根）と、該インペラ本体に連結された環状の囲い板（シュラウド）とで構成されている。インペラ本体は、周方向に互いに所定間隔を隔てて並ぶ複数の羽根（主羽根）を備えている。
【０００４】
環状の囲い板の中心部には、流体の吸込口となる貫通孔が設けられ、該貫通孔の周囲に環状フランジが形成されている。
【０００５】
特許文献1では、さらに、以下のように記載されている。ポンプケーシングとインペラの吸込口の環状フランジ部との間には隙間があり、該環状フランジ部には凹溝が複数設けられている。凹溝は、環状フランジの回転によって発生する遠心力の作用によって、環状フランジの中心側の端から外郭側へと流動する旋回流の理論的流線に沿って形成される。インペラの回転駆動時には、隙間にある流体は、この凹溝によって環状フランジの外側に排出しようとする遠心力を受ける。この遠心力によって、隙間を介した流体の漏れが防止されるようになっている。
【先行技術文献】
【特許文献】
【０００６】
【特許文献１】特開平９−１４１９４号公報（特に、段落００１１、段落００１３、図４）  しかしながら、上記特許文献１のウォーターポンプでは、インペラの環状フランジ部に形成された僅かな凹溝によって流体に遠心力を付与するようにしているため、インペラチャンバの圧力が所定圧を超える場合や、ポンプ回転数が低いために十分な遠心力を確保することができない場合に、インペラチャンバ内から半径方向外側に吐出された流体が上記隙間に流入する、流体の流れを阻止することができず、該隙間を介した吸込口側への漏出を十分に抑制することができないという問題がある。
【０００７】
本発明は、斯かる点に鑑みてなされたものであり、その目的とするところは、インペラによって吐出された流体の吸込口側への漏出を確実に抑制可能なウォーターポンプを提供しようとすることにある。
【発明の概要】
【課題を解決するための手段】
【０００８】
上記の目的を達成するために、この発明では、各補助羽根を、インペラの中心軸方向から見て各主羽根と同じ周方向位置に配設し、かつ主羽根よりも厚肉に形成するようにした。
【０００９】
具体的には、第１の発明では、流体を遠心力により加圧して吐出するインペラと、該インペラを収容するポンプケーシングとを備え、上記インペラが、流体の吸込口を中央に有するシュラウドと、上記シュラウドに相対するように配設されるハブ板と、上記ハブ板と上記シュラウドとの間に設けられ、上記吸込口から吸い込まれた流体に遠心力を与えて上記インペラの半径方向に流体を吐出する複数の主羽根とを備え、上記ポンプケーシングと上記シュラウドとの間に隙間が設けられているウォーターポンプであって、上記複数の主羽根は、それぞれ上記インペラの中心部から半径方向に対して斜めに遠ざかるように湾曲して延び、上記シュラウドの外面に、上記インペラの回転によって上記隙間に存在する流体に遠心力を与える複数の補助羽根が、突出して設けられ、上記複数の補助羽根は、上記インペラの回転軸方向から見て、それぞれ上記主羽根と重なるように、上記インペラの中心部から半径方向に対して斜めに遠ざかるように湾曲して延びており、且つ、上記主羽根よりも厚肉に形成されていることを特徴とする。
【００１０】
第１の発明は、さらに、上記インペラの外周端側における上記補助羽根の肉厚は、隣接する上記補助羽根間の外周端側の間隔に対して、該間隔を超えない肉厚で形成されていることを特徴とする。
【００１１】
第２の発明は、流体を遠心力により加圧して吐出するインペラと、該インペラを収容するポンプケーシングとを備え、上記インペラが、流体の吸込口を中央に有するシュラウドと、上記シュラウドに相対するように配設されるハブ板と、上記ハブ板と上記シュラウドとの間に設けられ、上記吸込口から吸い込まれた流体に遠心力を与えて上記インペラの半径方向に流体を吐出する複数の主羽根とを備え、上記ポンプケーシングと上記シュラウドとの間に隙間が設けられているウォーターポンプであって、上記複数の主羽根は、それぞれ上記インペラの中心部から半径方向に対して斜めに遠ざかるように湾曲して延び、上記シュラウドの外面に、上記インペラの回転によって上記隙間に存する流体に遠心力を与える複数の補助羽根が突出して設けられ、上記複数の補助羽根は、上記インペラの回転軸方向から見て、それぞれ上記主羽根と重なるように上記インペラの中心部から半径方向に対して斜めに遠ざかるように湾曲して延びており、且つ、上記主羽根よりも厚肉に形成されており、上記補助羽根はさらに、上記シュラウドに対して、上記インペラの回転方向前側の面は垂直に立ち上がり、回転方向後側の面は滑らかに傾斜するように形成されていることを特徴とする。
【００１２】
第３の発明は、第１または第２の発明において、上記主羽根は、上記インペラの回転軸方向から見て、該インペラの中心部から半径方向に対して回転方向後側に向けて湾曲して延びる湾曲部と、該湾曲部先端から上記インペラの外周端に向けて該湾曲部の延長線よりも半径方向に対して回転方向前側に延びる延出部とを備え、上記補助羽根は、上記回転軸方向から見て、上記主羽根の上記湾曲部及び延出部と重なるように形成されていることを特徴とする。
【００１３】
本発明で、「延出部」とは、回転軸方向から見て、主羽根がインペラの中心部から半径方向に向けて、徐々に回転方向後側になるように滑らかな湾曲部になって形成された後の延長部分のことであって、「延出部」の形状としては、円弧状や楕円状の曲線、直線等、或いはこれらの組み合わせを含むものである。
【発明の効果】
【００１４】
第１の発明によると、シュラウドの外面に形成される補助羽根が、シュラウド内に設けられた主羽根と重なる形状であり、シュラウドの内面側にて該主羽根の通過に伴って生じる圧力脈動と、シュラウドとポンプケーシングとの隙間（即ち、シュラウドの外面）にて補助羽根の通過に伴って生じる圧力脈動との周期を同期させることができる。圧力脈動の周期が略同じとなることで、シュラウドの外面の圧力ピーク値とシュラウドの内面の圧力ピーク値とを略同じ周期位置に合わせることができ、両圧力脈動の圧力差の最大値（シュラウドの外面の圧力ピーク値とシュラウドの内面の圧力ピーク値との差）が小さくなる。その上、補助羽根の肉厚が主羽根の肉厚よりも厚くなっているため、補助羽根と主羽根の肉厚を同じに設けた場合に比較して、シュラウドの外面の圧力ピーク値が僅かに高くなってシュラウドの内面の圧力ピーク値に近づくので、両羽根の圧力脈動の最大値同士がより接近して該最大値の差異が更に小さくなる。これにより、シュラウドの両面の圧力差を可及的に低減することができ、上述した隙間に回り込む流れを確実に抑制することができ、延いては、主羽根の回転による遠心力でインペラの外周側に吐出された流体が、シュラウドとポンプケーシングの隙間から吸込口側に漏出することを効果的に防止できる。
【００１５】
第１の発明によると、さらに、インペラの外周端側における補助羽根の肉厚は、隣接する該補助羽根間の、同じ外周端側の間隔に対して、この間隔を超えない肉厚で形成されていることで、インペラの回転抵抗を増加させることなく、この間隔に入り込む流体を可及的に低減させることができ、流体の吐出効率を高めることができる。特に、隙間に生じる圧力脈動の波形を、その反対側の主羽根側に生じる圧力脈動の波形に近づけることができ、両圧力脈動間の最大圧力差を少なくできる。したがって、シュラウドの両面の圧力差をさらに確実に低減することができる。
【００１６】
第２の発明によると、補助羽根は、インペラ回転方向前側の面が略垂直に立ち上がるように形成されていることで、補助羽根間に入り込む流体を出来るだけ無駄なく外周側に押し出すことができ、回転方向後側の面が滑らかに傾斜するように形成されていることで、この部分によどみや乱流が生じにくい。
【００１７】
第３の発明によると、主羽根及び補助羽根が、共に、上記回転軸方向から見て、インペラの中心部から半径方向に向けて、徐々に回転方向後側になるように滑らかな湾曲部で形成され、湾曲部の半径方向外側から外周端にかけては、湾曲部の延長線よりも回転方向前側になるように湾曲部から回転方向前側に延びた延出部で形成されているので、遠心力が強い半径方向外側で回転による流体に対する作用を強くすることができ、主羽根間の流体を強く押し出すことができると共に、補助羽根間からも流体を強く押し出すことができる。
【図面の簡単な説明】
【００１８】
【図１】図１は、本発明の実施形態に係るウォーターポンプの断面概略図である。
【図２】図２は、本発明の実施形態に係るインペラの斜視図である。
【図３】図３は、図２のインペラの部分拡大側面図である。
【図４】図４は、図２のインペラの部分拡大平面図である。
【発明を実施するための形態】
【００１９】
以下、本発明の実施形態を図面に基づいて詳細に説明する。以下の好ましい実施形態の説明は、本質的に例示に過ぎず、本発明、その適用物或いはその用途を制限することを意図するものではない。
【００２０】
図１に示すウォーターポンプ１は、水冷式のエンジン（図示省略）に取り付けられて、エンジンに冷却水（流体）を強制循環させる、所謂遠心式のポンプである。ウォーターポンプ１は、内部に、流体を遠心力により加圧して吐出するインペラ２を収容するポンプケーシング３を備える。ポンプケーシング３は、第１ポンプケーシング４と第２ポンプケーシング５とで構成されており、両ポンプケーシング４、５はボルト６０を介して互いに締結されている。
【００２１】
なお、以下の説明において、ポンプ軸心方向の吸込側（図１の右側）を「一側」と定義し、その反対側（図１の左側）を「他側」と定義するものとする。また、図１においてインペラ２は、分かりやすいように切断せずに示すものとする。なお、「ポンプ軸心方向」は、後述するインペラの説明では、「インペラの回転軸方向」と表現しているが、同じ方向のことである。
【００２２】
図１に示すように、第１ポンプケーシング４に、冷却水が流入する流入路４１が設けられている。流入路４１は、流入路４１の一側から他側に向かって拡径するテーパー形状に形成されている。流入路４１の一側には、エンジンからの冷却水をインペラ室４２内に導くための流入管７が接続され、流入路４１の他側に、インペラ２を収容するインペラ室４２が設けられている。インペラ室４２には、吸込まれた冷却水を、インペラ２の遠心力により加圧して、インペラ２の半径方向（即ちエンジン側）に吐出するための吐出口（図示省略）が開口している。この吐出口に流出路（図示省略）が連通している。
【００２３】
図２に示すように、インペラ２は、合成樹脂製の一体成形品で構成されていて、流入路４１側（一側）に位置して、円筒状の吸込口２３を中央に有するシュラウド２４と、シュラウド２４に相対して、他側に位置するハブ板２２と、ハブ板２２とシュラウド２４との間に、吸込口２３から吸い込まれた流体に遠心力を与えてインペラ２の半径方向に流体を吐出させる複数の主羽根１０とを備える。
【００２４】
図１に示すように、インペラ２の中心部に取り付けられたシャフト６が、ベアリング８によって、第２ポンプケーシング５内に設けられた軸支孔５１に、回動可能に支持されている。インペラ２は、シャフト６に接続されるエンジンのクランク軸（図示省略）によって回転駆動される。ベアリング８とインペラ室４２との間にメカニカルシール９が設けられている。
【００２５】
図１に示すように、第１ポンプケーシング４の内周面４ａにおいて、流入路４１を形成するテーパー部分に続いて、インペラ２の吸込口２３の一側の形状に対応する段部４ｂが設けられている。この段部４ｂと吸込口２３の先端部分との間隙が、インペラ２の回転軸方向から見て、半径方向に延びる部分と、半径方向外側から回転軸方向に略直角に曲がる部分とを有することになり、この間隙を通る流体の流路抵抗が大きくなるので、結果として流体が通りにくくなっている。
【００２６】
第１ポンプケーシング４の内周面４ａのうちシュラウド２４と対面する部分とシュラウド２４との間に隙間Ｓが設けられている。具体的には、図１に示すように、第１ポンプケーシング４の内周面４ａが、段部４ｂに続いて、インペラ２の吐出口側に向かって徐々に滑らかに拡大するテーパー形状になっている。また、シュラウド２４の外面（一側面）２４ａが、上記第１ポンプケーシング４の内周面４ａのテーパー形状に沿うように徐々に滑らかに拡径するテーパー形状に形成されている。この構成により、この内周面４ａとシュラウド２４の外面２４ａとの間に、ほぼ一定の間隔からなる隙間Ｓが形成されている。
【００２７】
複数の主羽根１０は、図２に示すように、それぞれ周方向に等間隔に７枚設けられている。主羽根１０は、インペラ２の中心部から半径方向に対して斜めに遠ざかるように延びて設けられている。具体的には、主羽根１０は、それぞれインペラ２の回転軸方向から見て、インペラ２の中心部から半径方向（即ち外周側）に向けて、徐々に回転方向後側になるように滑らかな湾曲部になって形成され、湾曲部の先端（即ち半径方向外側）から外周端にかけては、湾曲部の延長線よりも回転方向前側になるように湾曲部から回転方向前側に滑らかに延ばした延出部で構成されている。即ち、主羽根１０の外周近傍部分(先端部分)は、図４に示すように、インペラの回転軸方向から見て、湾曲部先端から滑らかに延長した仮想延長線（図４の二点鎖線）に比較して、回転方向前側の位置に向けて滑らかに延びた延出部（図４の破線）で構成されている。図４において、これら一点鎖線と破線との最大距離差を、Ｌとして示す。この構成によって、相対的に遠心力が強く作用する領域、即ち主羽根１０の外周近傍部分においてインペラ２の回転方向の作用力を強くできるので、主羽根１０間から滑らかに多くの冷却水を押し出せるようになっている。
【００２８】
補助羽根１１は、シュラウド２４の外面２４ａに突出して設けられ、インペラ２の回転によって隙間Ｓに存在する冷却水に遠心力を与えるようになっている。補助羽根１１は、主羽根１０と同様に７枚で、ポンプ軸心周りに周方向に等間隔に設けられている。補助羽根１１は、それぞれインペラ２の回転軸方向から見て、インパネ２の中心部から半径方向に対して斜めに遠ざかるように滑らかに略湾曲して延びている。即ち、補助羽根１１は、主羽根１０と同様な湾曲部及び延出部で構成されており、インペラ２の回転軸方向から見て主羽根１０と重なるようになっている。
【００２９】
図３に示すように、主羽根１０の羽根高さＨ１及び周方向の羽根幅Ｂ１、補助羽根１１の周方向の羽根幅Ｂ２及び羽根高さＨ２、補助羽根間の流路幅Ａ等は、ポンプの大きさや吐出能力などによって差異があるが、実用上は、以下の範囲とすることが好ましい。なお、流路幅Ａとは、隣接する補助羽根１１間の羽根間の幅（補助羽根間隔）であって、最も外周側の流路幅のことをいう。また、主羽根１０及び補助羽根１１の羽根幅Ｂ１、Ｂ２は、それぞれ主羽根１０及び補助羽根１１の周方向の幅（肉厚）であって、最も外周側の羽根幅（肉厚）のことをいう。主羽根１０及び補助羽根１１の羽根高さＨ１、Ｈ２はそれぞれ主羽根１０及び補助羽根１１の羽根高さであって、最も外周側の羽根高さのことをいう。
【００３０】
図３に示すように、補助羽根１１の羽根幅（肉厚）Ｂ２は、流路幅Ａに対して、流路幅Ａ＞羽根幅Ｂ２となっている。特に、羽根幅Ｂ２は、流路幅Ａの１／２以下が好ましい。羽根幅Ｂ１とＢ２では、羽根幅Ｂ１＜羽根幅Ｂ２であり、補助羽根１１は主羽根１０よりも厚肉になっている。特に羽根幅Ｂ２は、羽根幅Ｂ１の１．５倍以上が好ましい。また、補助羽根１１の羽根高さＨ２は、補助羽根１１の羽根幅Ｂ２に対して、羽根高さＨ２／羽根幅Ｂ２＝１／４〜１／８となるように形成することが効果的であり好ましい。補助羽根１１の羽根高さＨ２は、シュラウド２４の中心側から外周側にかけてほぼ同じ高さとなっている。また、補助羽根１１の羽根高さＨ２は、シュラウド２４とハブ板２２との間で主羽根１０の羽根高さＨ１に対して、１／１０以下に設定されていて、本実施形態では１／１５となっている。特に、補助羽根１１の羽根高さＨ２は、ポンプケーシング３とシュラウド２４の間の隙間Ｓの高さに比較して、約半分程度になっている。
【００３１】
また、補助羽根１１は、シュラウド２４に対して、図３に示すように、回転方向前側の面１１ａは略垂直に立ち上がり、回転方向後側の面１１ｂは滑らかに傾斜するように形成されている。このように、回転方向前側の面１１ａが略垂直に立ち上がることで、補助羽根１１間に入り込もうとする冷却水を出来るだけ無駄なくインペラ２の外周側に押し出すことができ、回転方向後側の面１１ｂは滑らかに傾斜することで、この部分によどみや乱流が生じにくいようにしている。なお、「略垂直」とは、垂直に近い形状も含むものである。「滑らかに傾斜」とは、滑らかな円弧や傾斜及び屈曲形状も含むものであり、これらの組み合わせでもよい。
【００３２】
以上のように構成されたウォーターポンプ１が作動して、駆動軸６によりインペラ２が回転駆動されると、エンジンからの冷却水が流入路４１及びインペラ２の吸込口２３を通ってインペラ２内に流入し、流入した冷却水は、インペラ２の主羽根１０によって加圧されるとともにその遠心作用によってインペラ室４２内から不図示の吐出口を通って吐き出され、エンジンの各部に供給される。このとき、主羽根１０は、滑らかな湾曲部を有していることで、主羽根１０間に流入した冷却水を滑らかに押し出すことができるようになっている。
【００３３】
本発明では、補助羽根１１が、上記インペラの回転軸方向から見て、主羽根１０と同じ位置に重なるように形成されていることで、シュラウド２４の内面（他側）２４ｂに生じる圧力脈動の各ピークと、シュラウド２４の外面（一側）２４ａに生じる圧力脈動の各周期を略一致させることができる。これによって、補助羽根１１の位置と主羽根１０の位置とを異ならせた場合に比べて、シュラウド２４の両面２４ａ、２４ｂの圧力差の最大値（外面２４ａの圧力ピーク値と内面２４ｂの圧力ピーク値との差）を低減することができ、該圧力差に起因して冷却水がシュラウド２４の外面２４ａに回り込むのを確実に抑制することができる。その上、補助羽根１１の羽根幅Ｂ２＞主羽根１０の羽根幅Ｂ１となって重なっているので、補助羽根１１を主羽根１０と同じ肉厚で設けた場合に比較して、補助羽根１１間の流路幅Ａが狭くなりシュラウド２４の両面２４ａ、２４ｂの圧力脈動のピーク値が近づくことになる。その結果、圧力差の最大値が小さくなり、冷却水の吸込口２３側への漏出を更に効果的に防止できる。
【００３４】
さらに、補助羽根１１は、流路幅Ａ２＞羽根幅Ｂ２となっているため、回転抵抗が大きくなることが抑制されて、インペラ２のスムーズな回転駆動に有用であるとともに、隙間Ｓから吸入口２３側への冷却水の漏出を効果的に防止できる。
【００３５】
さらに、補助羽根１１は、回転方向前側が垂直に立ち上がり、回転方向後側が緩やかに傾いて形成されているので、補助羽根１１の回転方向前側では、補助羽根１１間の冷却水が効率よく送り出され、回転方向後側では、滑らかな冷却水の流れとなり、よどみや渦の発生が抑制される。
【００３６】
（その他の実施形態）
主羽根１０や補助羽根１１の外周近傍部分は、図４に示すように、１本の延出部を備えているが、これに限られず、湾曲部を外周端までそのまま延長した場合に比較して回転方向前側に延びる延出部を備えていればよいものであって、例えば、複数本の直線の組み合わせでもよく、一部を緩やかな湾曲状としてもよい。また、外周近傍部分を緩やかな湾曲状とする場合は、中心から延びる湾曲部と同様な方向の湾曲でも逆方向の湾曲でもよい。
【００３７】
本実施形態では、インペラを使用するウォーターポンプに適用したが、これに限られるものではなく、例えば、インペラを有する圧縮機に使用してもよい。
【００３８】
また、本実施形態では、補助羽根１１の幅Ｂ２は一定の幅としたが、これに限られるものではなく、半径方向内側に向けて、徐々に幅狭になるようにしてもよい。
【産業上の利用可能性】
【００３９】
本発明は、特に、エンジン冷却用のウォーターポンプに有用である。
【符号の説明】
【００４０】
１              ウォーターポンプ
２              インペラ
２１            インペラハウジング
２２            ハブ板
２３            吸込口
２４            シュラウド
２４ａ          外面
２４ｂ          内面
３              ポンプケーシング
４              第１ポンプケーシング
４１            流入路
４２            インペラ室
５              第２ポンプケーシング
Ｓ              隙間
【図１】
0006374744.tif 000002
【図２】
0006374744.tif 000003
【図３】
0006374744.tif 000004
【図４】
0006374744.tif 000005